(57)【要約】【課題】六角レンチとスパナとを組み合わせて、いっぺんに探し出すこと。【解決手段】工具（１）は、ナットを回すスパナ（２）と、ナットが螺合する六角穴付きボルトを回す六角レンチ（３）とを一体化可能とした工具であって、スパナは、ナットが嵌合する嵌合部（２１）と、嵌合部を先端に配設したハンドル部（２２）とを備え、ハンドル部が六角レンチを把持する把持部（２２ａ）を備え、スパナと六角レンチとが一体化可能とする。【選択図】図２
2018058179.tif 000002
【特許請求の範囲】
【請求項１】
ナットを回すスパナと、該ナットが螺合する六角穴付きボルトを回す六角レンチとを一体化可能とした工具であって、
該スパナは、該ナットが嵌合する嵌合部と、該嵌合部を先端に配設したハンドル部とを備え、
該ハンドル部が該六角レンチを把持する把持部を備え、該スパナと該六角レンチとが一体化可能とした工具。
【発明の詳細な説明】
【技術分野】
【０００１】
本発明は、ナット又はボルトを締める工具に関する。
【背景技術】
【０００２】
ボルトとナットは、種々の規格等によってサイズが決められている。ボルトのサイズは、例えばメートル（Ｍ）ねじで規格されており、ボルトのサイズがＭ４であればナットのサイズは対辺の間隔が８ｍｍ、ボルトがＭ５であればナットのサイズは対辺の間隔が１０ｍｍである。また、六角穴付きボルトは、一端部に頭部が設けられ、他端部に雄ネジ部が設けられており、頭部には六角レンチ嵌合用である六角穴が形成されている。この場合、例えば、ボルトがＭ４の六角穴の対辺の間隔は３ｍｍ、Ｍ５の六角穴の対辺の間隔は４ｍｍである。
【０００３】
六角穴付きボルトとナットとを締め付ける場合は、六角レンチで六角穴付きボルトを固定した状態で（例えば、特許文献１参照）、スパナでナットを回転させる。六角穴付きボルトとナットとのサイズ関係は決まっているので、六角レンチとスパナとのサイズ関係も決まっている。
【先行技術文献】
【特許文献】
【０００４】
【特許文献１】特開２０００−２８８９５２号公報
【発明の概要】
【発明が解決しようとする課題】
【０００５】
このように、六角穴付きボルトとナットに応じて、使用する六角レンチとスパナの対応関係は決まっているにもかかわらず、六角レンチとスパナとは多数の工具と共に別々に工具箱内にしまわれている。このため、六角レンチとスパナそれぞれを工具箱から探し出す作業が煩雑であり、時間が掛かかっていた。
【０００６】
本発明はかかる点に鑑みてなされたものであり、六角レンチとスパナとを組み合わせて、いっぺんに探し出すことができる工具を提供することを目的とする。
【課題を解決するための手段】
【０００７】
本発明の一態様の工具は、ナットを回すスパナと、ナットが螺合する六角穴付きボルトを回す六角レンチとを一体化可能とした工具であって、スパナは、ナットが嵌合する嵌合部と、嵌合部を先端に配設したハンドル部とを備え、ハンドル部が六角レンチを把持する把持部を備え、スパナと六角レンチとが一体化可能とする。
【０００８】
この構成によれば、六角レンチがスパナの把持部に把持されることで、六角レンチとスパナが一体化される。この状態で予め対応関係が決まった六角レンチとスパナとを組み合わせてしまっておくことができるため、対応したサイズとなる六角穴付きボルト及びナットを使用する際に、六角レンチとスパナとをいっぺんに取り出すことができる。このため、六角レンチとスパナとを探し出す作業を容易にして時間を短縮することができる。
【発明の効果】
【０００９】
本発明によれば、六角レンチとスパナとを組み合わせて、いっぺんに探し出すことができる。
【図面の簡単な説明】
【００１０】
【図１】本実施の形態に係る六角レンチ及びスパナの斜視図である。
【図２】本実施の形態に係るスパナに六角レンチが組み合わされた状態を示す図である。
【図３】図２を矢印Ａ方向から見た図である。
【図４】本実施の形態に係る工具を用いて六角穴付きボルトとナットとを締め付ける動作を示す図である。
【図５】図３の変形例に係る説明図である。
【発明を実施するための形態】
【００１１】
六角穴付きボルトとナットは、複数の部品や部材を締結する際に利用されている。六角レンチで六角穴付きボルトを固定した状態で、六角穴付きボルトに螺合するナットにスパナを嵌合して回転させることにより、六角穴付きボルトとナットが締め付けられる。六角穴付きボルトとナットとのサイズ関係は決まっているため、六角レンチとスパナとのサイズ関係も決まっている。このため、使用する六角穴付きボルトとナットのサイズ関係に応じて、使用する六角レンチとスパナの組み合わせは予め決まっている。しかしながら、六角レンチとスパナは他のサイズの六角レンチ及びスパナや他の種類の工具と一緒にしまわれているため、目的の六角レンチとスパナを探し出す作業に時間が掛かっていた。そこで、本実施の形態においては、対応した六角レンチとスパナを組み合わせてしまっておくことができる構成とした。
【００１２】
以下、添付図面を参照して、本実施の形態に係る工具について説明する。図１は、本実施の形態に係る六角レンチ及びスパナの斜視図である。図２は、本実施の形態に係るスパナに六角レンチが組み合わされた状態を示す図である。図３は、図２を矢印Ａ方向から見た図である。
【００１３】
図１に示すように、本実施の形態では、スパナ２と六角レンチ３とが組み合わされて工具１が構成される。スパナ２は、矩形状のハンドル部２２と、ハンドル部の先端に配設される円板状の嵌合部２１とを備えている。嵌合部２１の中心付近にはナットが嵌合する六角形状の嵌合孔２１ａが形成されている。ハンドル部２２の片面には、六角レンチを把持する一対の把持部２２ａがハンドル部２２の延在方向に延びるように突出して平行に設けられており、一対の把持部２２ａの間には嵌合溝２２ｂが形成されている。また、本実施の形態に係る六角レンチ３は、六角柱がＬ字状に曲げられて、長レバー部３ａと短レバー部３ｂとが形成されている。図２に示すように、スパナ２の一対の把持部２２ａの内側に六角レンチ３の長レバー部３ａが把持される。これにより、スパナ２と六角レンチ３とを一体化することができる。また、矢印Ａ方向から見た際の六角レンチ３における六角形（以下の説明では単に「六角形」とする）の対向する２つの頂点が、スパナ２におけるハンドル部２２の延在方向に延びる一対の把持部２２ａに線接触されるため（図３参照）、六角レンチ３が把持部２２ａから外れることが抑えられる。
【００１４】
このように、六角レンチ３がスパナ２の把持部２２ａに把持されることで、対応関係が決まった六角レンチ３とスパナ２を組み合わせた状態でしまっておくことができる。これにより対応したサイズとなる六角穴付きボルト及びナットを使用する際に、六角レンチ３とスパナ２とを他の工具の中からいっぺんに取り出すことができる。このため、目的の六角レンチ３とスパナ２とを探し出す作業を容易にすることができる。
【００１５】
図３に示すように、六角レンチ３は六角形の一辺を嵌合溝２２ｂの底面に当接させ、六角形の対向する２つの頂点をそれぞれ嵌合溝２２ｂの側面に当接させた状態で、スパナ２に把持される。スパナ２と六角レンチ３とを一体化して六角レンチ３がスパナ２の把持部２２ａから外れないようにする観点から、嵌合溝２２ｂの底面の長さＬは、六角レンチ３の六角形の対向する２頂点間の距離Ｗ１と略同一または若干小さく設定されることが好ましい。
【００１６】
具体的には、嵌合溝２２ｂの底面の長さＬは、図３に示した状態で、距離Ｗの両側の頂点と嵌合溝２２ｂの側面との摩擦によって六角レンチ３が少なくとも自重で嵌合溝２２ｂから抜け出ないように設定される。また、長さＬは、図３に示す六角レンチ３の向きで嵌合溝２２ｂ内に圧入するときに、距離Ｗの両側の頂点が嵌合溝２２ｂの側面と擦れ合って挿入方向に対する抵抗を受けながらも嵌合溝２２ｂ内に長レバー部３ａが略収まるように設定される。
【００１７】
図３のように六角レンチ３と嵌合溝２２ｂが当接した状態で、六角レンチ３は、嵌合溝２２ｂの底面に当接させる六角形の一辺と、嵌合溝２２ｂの側面に当接させる六角形の対向する２つの頂点により、把持部２２ａにおいて回転規制がかかる。このように、六角形の所定の一辺を嵌合溝２２ｂの底面に当接させることで、六角レンチ３の短レバー部３ｂはスパナ２の水平方向に対して所定の角度で配置される。例えば、六角レンチ３の短レバー部３ｂはスパナ２の水平方向に対して垂直に起立した状態で配置することができる（図１参照）。
【００１８】
次に、図４参照して、本実施の形態に工具を用いて六角穴付きボルトとナットとを締め付ける動作について詳細に説明する。図４は、本実施の形態に係る工具を用いて六角穴付きボルトとナットとを締め付ける動作を示す図である。
【００１９】
ここでは、一例として、テーブル１２が下方に位置する支持板１１によって支持され、それらの位置決め固定を行うために、六角穴付きボルト４及びナット６を締め付けるときの動作を説明する。テーブル１２には貫通孔１２ａが形成されており、支持板１１には雌ネジ孔１１ａが形成されている。中空ボルト５の雄ネジ部５ａが支持板１１の雌ネジ孔１１ａに螺合され、支持板１１の上面から突出した雄ネジ部５ａの先端にテーブル１２が当接される。中空ボルト５の中空５ｂ及びテーブル１２の貫通孔１２ａには六角穴付きボルト４が挿し込まれ、六角穴付きボルト４の先端に形成される雄ネジ部４ｃには六角穴付きボルト４に対応するサイズのナット６が螺合されている。
【００２０】
ナット６を緩めた状態で、中空ボルト５を支持板１１に対して回転させることで、テーブル１２の高さが調整される。そして、スパナ２と六角レンチ３とが一体化された工具１において（図２参照）、スパナ２の把持部２２ａから六角レンチ３を取り外した後、スパナ２の嵌合部２１にナット６を嵌合し、六角穴付きボルト４の頭部４ａに形成される六角穴４ｂに六角レンチ３の短レバー部３ｂの先端を差し込む。六角レンチ３の長レバー部３ａを抑えて六角穴付きボルト４の回転を抑えながら、スパナ２のハンドル部２２を操作してナット６を回転させることで、六角穴付きボルト４とナット６が締め付けられ、テーブル１２を所定の高さにおいて固定することができる。
【００２１】
本実施の形態に係る工具１においては、対応したサイズ関係にある六角穴付きボルト４及びナット６に対して用いられる六角レンチ３とスパナ２とを組み合わせることができ、組み合わせた状態でしまっておくことができる。このため、対応する六角穴付きボルト４とナット６とを締め付ける際に、使用する六角レンチ３とスパナ２とを他の工具の中からいっぺんに取り出すことができる。
【００２２】
以上のように、本実施の形態に係る工具１では、六角レンチ３がスパナ２の把持部２２ａに把持されることで、六角レンチ３とスパナ２が一体化される。この状態で予め対応関係が決まった六角レンチ３とスパナ２とを組み合わせてしまっておくことができるため、対応したサイズとなる六角穴付きボルト４及びナット６を使用する際に、六角レンチ３とスパナ２とをいっぺんに取り出すことができる。このため、六角レンチ３とスパナ２とを探し出す作業を容易にして作業時間を短縮することができる。
【００２３】
上記実施の形態においては、把持部２２ａがハンドル部２２の延在方向に渡って連続して形成される構成としたが、把持部２２ａはハンドル部２２の延在方向の両端側にのみ形成されていてもよい。また、把持部２２ａはハンドル部２２の側面に形成されていてもよい。
【００２４】
また、上記実施の形態においては、図３に示すように六角レンチ３がスパナ２に把持される構成としたが、これに限定されない。例えば、図５に示すように、六角形の頂点を嵌合溝２２ｂの底面に当接させて、六角形の対辺をそれぞれ嵌合溝２２ｂの側面に当接させるよう、嵌合溝２２ｂの幅を変更してもよい。この場合、六角レンチ３がスパナ２の把持部２２ａから外れないようにする観点から、嵌合溝２２ｂの底面の長さＬは、六角形の対辺間の距離Ｗ２と略同一または若干小さく設定されることが好ましい。六角形の対辺が嵌合溝２２ｂの側面にそれぞれ当接されることで、六角レンチ３と嵌合溝２２ｂの側面との接触面積を大きくして、六角レンチ３がスパナ２から外れることを防止できる。また、図５に示す状態では、図２に示す状態に比べて長レバー部３ａの軸回りに９０°回転させて六角レンチ３を把持することができる。従って、短レバー部３ｂを起立させずに嵌合部２１に沿うように配置でき、短レバー部３ｂが嵩張らないようにして工具１を収納することができる。
【００２５】
また、図５のスパナ２において、把持部２２ａは弾性体で形成されていてもよい。この場合、六角レンチ３の六角形の対辺の距離Ｗ２は図３に示す距離Ｗ１より短いため、嵌合溝２２ｂの底面の長さＬも距離Ｗ１より小さくなるが、図３に示す長いレバー部３ａの向きで一対の把持部２２ａの間に押し込むことで、一対の把持部２２ａの間の距離が拡がるように変形して把持でき、六角レンチ３がスパナ２から外れないようにすることができる。
【００２６】
また、本発明の実施の形態は上記の実施の形態に限定されるものではなく、本発明の技術的思想の趣旨を逸脱しない範囲において様々に変更、置換、変形されてもよい。さらには、技術の進歩又は派生する別技術によって、本発明の技術的思想を別の仕方で実現することができれば、その方法を用いて実施されてもよい。したがって、特許請求の範囲は、本発明の技術的思想の範囲内に含まれ得る全ての実施態様をカバーしている。
【産業上の利用可能性】
【００２７】
以上説明したように、本発明は、六角レンチとスパナとを組み合わせて、いっぺんに探し出すことができるという効果を有し、特に、ナット又はボルトを締める工具に有用である。
【符号の説明】
【００２８】
１  工具
２  スパナ
３  六角レンチ
２１  嵌合部
２２  ハンドル部
２２ａ  把持部
【図１】
2018058179.tif 000003
【図２】
2018058179.tif 000004
【図３】
2018058179.tif 000005
【図４】
2018058179.tif 000006
【図５】
2018058179.tif 000007